(57)【要約】      （修正有）【課題】システムに市販の釣銭機を組み込むことにより、コストの低減を図り、しかもスピーディーな料金収受をなすことのできる釣銭自動払出システムを提供する。【解決手段】Ｉ／Ｆ変換部１とシステム制御部２を備えている。Ｉ／Ｆ変換部１は電源Ｅに導結され、料金収受機３で算定された料金金額の取得を行う入力コネクタ１１及び該取得した料金データをパラレル、シリアル又はＵＳＢで出力する出力部１２を備えている。料金収受機３は利用券投入部３１と料金表示部３２を備え、該料金表示部３２は利用券投入部３１に利用券が投入されて料金算定が済んだ後に料金を表示するものである。システム制御部２は電源Ｅに導結されると共に、レジ釣銭機４及び付帯装置５に導結され、Ｉ／Ｆ変換部１から受けた情報を基にレジ釣銭機４及び付帯装置５を操作するようになっている。【選択図】図１
0003190960.tif 000002
【実用新案登録請求の範囲】
【請求項１】
Ｉ／Ｆ変換部(1)とシステム制御部(2)を備え、
該Ｉ／Ｆ変換部(1)は電源(E)に導結され、料金収受機(3)で算定された料金金額の取得を行う入力コネクタ(11)及び該取得した料金データをパラレル、シリアル又はＵＳＢで出力する出力部(12)を備え、
該料金収受機(3)は利用券投入部(31)と料金表示部(32)を備え、該料金表示部(32)は該利用券投入部(31)に利用券が投入されて料金算定が済んだ後に料金を表示するもので、
該システム制御部(2)は電源(E)に導結されると共に、レジ釣銭機(4)及び付帯装置(5)に導結され、該Ｉ／Ｆ変換部(1)から受けた情報を基に該レジ釣銭機(4)及び該付帯装置(5)を操作するようになっている
ことを特徴とする釣銭自動払出システム。
【請求項２】
該システム制御部(2)は、押釦スイッチ(21)、時計(22)、プリンタ出力用のコネクタ(23)、メモリ装置(24)及びブザー(25)を備えている請求項１に記載の釣銭自動払出システム。
【請求項３】
該レジ釣銭機(4)は硬貨用(41)と紙幣用(42)を備えている請求項１又は２に記載の釣銭自動払出システム。
【請求項４】
該押釦スイッチ(21)は数字キー用(211)と、担当者用(212)、釣銭補充用(213)及び釣銭回収用(214)となっている請求項２に記載の釣銭自動払出システム。
【請求項５】
該付帯装置(5)は表示部(51)、操作スイッチ部(52)及びプリンタ(53)を包含している請求項１から４のいずれか一つの項に記載の釣銭自動払出システム。
【請求項６】
該表示部(51)の表示する状況は時間・担当者・通知金額・釣銭金額や、釣銭不足・紙幣硬貨満杯・扉開閉・エラーの中の少なくとも一つである請求項５に記載の釣銭自動払出システム。
【考案の詳細な説明】
【技術分野】
【０００１】
本考案は釣銭自動払出システムに関し、既存の釣銭機を組み込むことによって廉価とし、有料の道路や駐車場等で運転者が利用料を支払う際に釣銭が必要となった場合でも容易に対応できるようにしたものである。
【背景技術】
【０００２】
高額紙幣取扱時の誤収防止並びに消費税の税率変更に伴う料金改定によって、１０円単位の取扱いが行われることになった場合におけるサービスタイムの増加抑制、収受員の負担軽減及び収受金の誤収低減等、収受業務の改善、補完を目的とした自動払出機が所望される。
【０００３】
釣銭準備機構を備えた料金自動収受機が特開２００６−２３６２０８号公報（特許文献１）に開示されている。
【先行技術文献】
【特許文献】
【０００４】
【特許文献１】特開２００６−２３６２０８号公報
【考案の概要】
【考案が解決しようとする課題】
【０００５】
特許文献１は有料道路のサービスタイムを短縮する料金自動収受機を意図しているが、無からの構成となっているようで、製品価格が高くなりやすく、構造も複雑となる。料金所の数は多く、しかも車線ごとにこの料金自動収受機を設置するとなると、莫大の費用がかかる恐れがある。
【０００６】
本考案は、システムに市販の釣銭機を組み込むことにより、コストの低減を図り、しかもスピーディーな料金収受をなすことのできる釣銭自動払出システムを提供することを目的とする。
【課題を解決するための手段】
【０００７】
（請求項１）本考案に係る釣銭自動払出システムは、Ｉ／Ｆ変換部とシステム制御部を備えている。該Ｉ／Ｆ変換部は電源に導結され、料金収受機で算定された料金金額の取得を行う入力コネクタ及び該取得した料金データをパラレル、シリアル又はＵＳＢで出力する出力部を備えている。該料金収受機は利用券投入部と料金表示部を備え、該料金表示部は該利用券投入部に利用券が投入されて料金算定が済んだ後に料金を表示するものである。該システム制御部は電源に導結されると共に、レジ釣銭機及び付帯装置に導結され、該Ｉ／Ｆ変換部から受けた情報を基に該レジ釣銭機及び該付帯装置を操作するようになっている。
【０００８】
料金収受機に利用券を挿入すると検出部がこの利用券を検出し、料金を算出して料金表示部に料金を表示する。この料金データはＩ／Ｆ変換部に送られてＩＦ変換され、出力部からシステム制御部に送られて付帯装置の表示部に「収受すべき金額」として表示される。
【０００９】
紙幣及び硬貨が釣銭機に投入されると、システム制御の表示部（モニタ）に「預かり金」及び「過不足金」を表示する。操作スイッチの確認釦を押下すると釣銭（紙幣・硬貨）を払い出す。
【００１０】
これらの一連の作業は自動的かつ速やかになされるので、料金所における渋滞の発生を防げる。
【００１１】
（請求項２）該システム制御部は、押釦スイッチ、時計、プリンタ出力用のコネクタ、メモリ装置及びブザーを備えていてもよい。
こうすると、押釦スイッチの操作で時刻付きのデータを印刷することができ、印刷記録を保存もでき、システム不具合のときなどにブザーで報知できる。
【００１２】
（請求項３）該レジ釣銭機は硬貨用と紙幣用を備えていてもよい。
こうすると、いろんな金額の釣銭に対応できる。
【００１３】
（請求項４）該押釦スイッチは数字キー用と、担当者用、釣銭補充用及び釣銭回収用となっていてもよい。
こうすると、数字の記録が容易で、担当者名も記録でき、釣銭が不足した場合も容易に補充でき、供用停止時の釣銭回収も容易に行える。
【００１４】
（請求項５）該付帯装置は表示部、操作スイッチ部及びプリンタを包含していてもよい。
こうすると、付帯装置を活用することにより、釣銭の過不足を表示したり、印字することができる。
【００１５】
（請求項６）該表示部の表示する状況は時間・担当者・通知金額・釣銭金額や、釣銭不足・紙幣硬貨満杯・扉開閉・エラーの中の少なくとも一つであってもよい。
こうすると、種々の状況を選択的に表示でき、システムの稼働状況を保全できる。
【考案の効果】
【００１６】
（請求項１）本考案にかかる釣銭自動払出システムによれば、市販の釣銭機をシステムに組み込んだので、コストの低減や機能の保証が得られ、利用料金の表示、料金の支払い、釣銭の授受等の一連の作業を自動的かつ速やかになされるので、料金所における渋滞の発生を防げる。
【００１７】
請求項２によれば、押釦スイッチの操作で時刻付きのデータを印刷することができ、印刷記録を保存もでき、システム不具合のときなどにブザーで報知できる。
【００１８】
請求項３によれば、いろんな金額の釣銭に対応できる。
【００１９】
請求項４によれば、数字の記録が容易で、担当者名も記録でき、釣銭が不足した場合も容易に補充でき、供用停止時の釣銭回収も容易に行える。
【００２０】
請求項５よれば、付帯装置を活用することにより、釣銭の過不足を表示したり、印字することができる。
【００２１】
請求項６によれば、種々の状況を選択的に表示でき、システムの稼働状況を保全できる。
【図面の簡単な説明】
【００２２】
【図１】本考案に係る釣銭自動払出システムの具体例を示すブロックダイアグラムである。
【考案を実施するための形態】
【００２３】
本考案に係る釣銭自動払出システムの具体例を、図面を参照して、説明する。
【００２４】
（請求項１）本考案に係る釣銭自動払出システムは、Ｉ／Ｆ変換部１とシステム制御部２を備えている。このＩ／Ｆ変換部１は電源Ｅに導結され、料金収受機３で算定された料金金額の取得を行う入力コネクタ１１及び取得した料金データをパラレル、シリアル又はＵＳＢで出力する出力部１２を備えている。
【００２５】
料金収受機３は利用券投入部３１と料金表示部３２を備え、この料金表示部３２は利用券投入部３１に利用券が投入されて料金算定が済んだ後に料金を表示するものである。
システム制御部２は電源Ｅに導結されると共に、レジ釣銭機４及び付帯装置５に導結され、Ｉ／Ｆ変換部１から受けた情報を基にレジ釣銭機４及び付帯装置５を操作するようになっている。
【００２６】
この場合、料金収受機３に利用券を挿入すると検出部がこの利用券を検出し、料金を算出して料金表示部３２に料金を表示する。この料金データはＩ／Ｆ変換部１に送られてＩＦ変換され、出力部１２からシステム制御部２に送られて付帯装置５の表示部５１に「収受すべき金額」として表示される。
【００２７】
紙幣及び硬貨がレジ釣銭機４に投入されると、システム制御部２の表示部（モニタ）５１に「預かり金」及び「過不足金」を表示する。操作スイッチ部５２の確認釦５２１を押下すると釣銭（紙幣・硬貨）を払い出す。
【００２８】
これらの一連の作業は自動的かつ速やかになされるので、料金所における渋滞の発生を防げる。
【００２９】
（請求項２）システム制御部２は、押釦スイッチ２１、時計２２、プリンタ出力用のコネクタ２３、メモリ装置２４及びブザー２５を備えている。
この場合、押釦スイッチ２１の操作で時刻付きのデータを印刷することができ、印刷記録を保存もでき、システム不具合のときなどにブザー２５で報知できる。
【００３０】
（請求項３）レジ釣銭機４は硬貨用４１と紙幣用４２を備えている。
この場合、硬貨用４１と紙幣用４２があるので、いろんな金額の釣銭に対応できる。
【００３１】
（請求項４）押釦スイッチ２１は数字キー用２１１と、担当者用２１２、釣銭補充用２１３及び釣銭回収用２１４となっている。
この場合、数字の記録が容易で、担当者名も記録でき、釣銭が不足した場合も容易に補充でき、供用停止時の釣銭回収も容易に行える。
【００３２】
（請求項５）付帯装置５は表示部５１、操作スイッチ部５２及びプリンタ５３を包含している。
この場合、付帯装置５を活用することにより、釣銭の過不足を表示したり、印字することができる。
【００３３】
（請求項６）表示部５１の表示する状況は時間・担当者・通知金額・釣銭金額や、釣銭不足・紙幣硬貨満杯・扉開閉・エラーの中の少なくとも一つである。
この場合、種々の状況を選択的に表示でき、システムの稼働状況を保全できる。
【符号の説明】
【００３４】
１      Ｉ／Ｆ変換部
１１    入力コネクタ
１２    出力部
２      システム制御部
２１    押釦スイッチ
２１１  数字キー用
２１２  担当者用
２１３  釣銭補充用
２１４  釣銭回収用
２２    時計
２３    コネクタ
２４    メモリ装置
２５    ブザー
３      料金収受機
３１    利用券投入部
３２    料金表示部
４      レジ釣銭機
４１    硬貨用
４２    紙幣用
５      付帯装置
５１    表示部
５２    操作スイッチ
５３    プリンタ
【図１】
0003190960.tif 000003